(57)【要約】【課題】印刷配線基板の配線パターンとバッテリーの端子などを電気的接続させるためのストロークが大きくて背丈の低いコンタクトを提供する。【解決手段】導電弾性板２０の両側をＵ字状に互いに対向して折り返してそれぞれ屈曲部２０ａ，２０ｂを形成し、厚さ方向に弾性的に屈曲可能とする。折り返した一方の可動片２０ｃの遊端部２０ｅが他方の規制片２０ｆの遊端部の下側に重なるようにし、規制片２０ｆの遊端部に下側を開口した断面コ字状の側壁部２０ｇを形成して、可動片２０ｃの遊端部２０ｅが側方にずれるのを規制する。可動片２０ｃに被電気的接続部材が当接する上に凸なる突状屈曲部２０ｄを設ける。屈曲部２０ａ，２０ｂの間の固定片２０ｈに可動片２０ｃの遊端部２０ｅに臨んで切り欠き２０ｉを設け、被電気的接続部材が当接して可動片２０ｃが弾性変形した状態でその遊端部２０ｅが固定片２０ｈに当接しないようにする。【選択図】  図１
2004227910.tif 000002
【特許請求の範囲】
【請求項１】
導電弾性板の両側をＵ字状またはＶ字状またはコ字状に互いに対向するように折り返してそれぞれ屈曲部を形成して厚さ方向にそれぞれ弾性的に屈曲可能とし、折り返した一方の可動片の遊端部が折り返した他方の規制片の遊端部の下側に重なるようにし、前記規制片の遊端部に下側を開口した断面コ字状の側壁部を形成して前記可動片の遊端部が側方にずれるのを規制し、前記可動片に被電気的接続部材が当接する上に凸なる突状屈曲部を設けて構成したことを特徴とするコンタクト。
【請求項２】
請求項１記載のコンタクトにおいて、前記２つの屈曲部の間の固定片に前記可動片の遊端部に臨んで切り欠きを設け、前記被電気的接続部材が当接して前記可動片が弾性変形した状態でその遊端部が前記屈曲部の間の前記固定片に当接しないように構成したことを特徴とするコンタクト。
【請求項３】
請求項１または２記載のコンタクトにおいて、前記導電性板からなるコンタクトを、前記被電気的接続部材が前記突状屈曲部に当接して前記可動片が弾性変形し得るようにして絶縁材からなるハウジングに収容固定し、しかも前記規制片側の前記屈曲部を前記ハウジングにより側方および上方にずれないように規制して構成したことを特徴とするコンタクト。
【請求項４】
請求項３記載のコンタクトにおいて、前記導電弾性板からなるコンタクトを、一体の前記ハウジングに複数個並べて収容固定して構成したことを特徴とするコンタクト。
【発明の詳細な説明】
【０００１】
【発明の属する技術分野】
本発明は、印刷配線基板などに設けられて、印刷配線基板の配線パターンとバッテリーの端子などを電気的接続させるためのコンタクトに関するものである。
【０００２】
【従来の技術】
従来技術の一例を図６を参照して説明する。図６は、従来のコンタクトの一例の縦断面図である。図６において、従来のコンタクトは、導電弾性板１０が略Ｕ字状に折り曲げられて厚さ方向に弾性的に屈曲可能とされ、折り返しの一方の可動片１０ａの途中に上に凸なる突状屈曲部１０ｂが形成され、その遊端部１０ｃが略Ｌ字状に折り曲げられている。そして、この導電弾性板１０が、バッテリーの端子などの被電気的接続部材が突状屈曲部１０ｂにＡ矢印方向に当接して可動片１０ａが弾性変形可能に絶縁材からなるハウジング１２に収容固定される。なお、可動片１０ａの略Ｌ字状に折り曲げられた遊端部１０ｃがハウジング１２内に挿入され、側方および上方への移動が規制される。さらに、印刷配線基板１４に載置され、折り返された他方の固定片１０ｄが印刷配線基板１４の図示しない配線パターンに半田付けなどにより固定されるとともに電気的接続される。
【０００３】
また、従来技術の他の例としては、特開２００２−１７０６１６号公報で提案されたコンタクトがある。この公報にて提案された従来のコンタクトを、図７を参照して説明する。図７は、公報にて提案されたコンタクトの外観斜視図である。図７において、図６と同じまたは均等な部材には、同じ符号を付けて重複する説明を省略する。図７に示す技術では、図６に示す技術におけるハウジング１２が設けられていない。そして、可動片１０ａの遊端部１０ｅは略Ｕ字状に形成されている。また、固定片１０ｄの遊端部には、可動片１０ａの遊端部１０ｅを抱くようにして側方および上方にずれないように規制する規制部１０ｆが形成されている。
【０００４】
図６および図７に示すいずれの従来のコンタクトにあっても、上方からの押圧に対して可動片１０ａが弾性変形し、斜め方向の押圧に対してはハウジング１２または規制部１０ｆにより、可動片１０ａの遊端部１０ｃ，１０ｅが側方などにずれて変形されることがない。
【０００５】
【発明が解決しようとする課題】
上述の図６および図７に示す従来のコンタクトにあっては、ハウジング１２または規制部１０ｆの上面から突状屈曲部１０ｂが突出する寸法Ｓ１、または可動片１０ａの遊端部１０ｃ，１０ｅが印刷配線基板１４または固定片１０ｄに当接するまでの寸法Ｓ２のいずれか短い方により、可動片１０ａのストロークが規制される。
【０００６】
そこで、ストロークを大きくとるためには、寸法Ｓ１，Ｓ２のいずれとも短くすることができず、コンタクトの自然状態のおける高さ、および被電気的接続部材で押圧されて可動片１０ａが弾性変形した状態における高さのいずれもが高いという不具合があった。
【０００７】
本発明はかかる従来技術の事情に鑑みてなされてもので、ストロークが大きくても背丈の低いコンタクトを提供することを目的とする。
【０００８】
【課題を解決するための手段】
かかる目的を達成するために、本発明のコンタクトは、導電弾性板の両側をＵ字状またはＶ字状またはコ字状に互いに対向するように折り返してそれぞれ屈曲部を形成して厚さ方向にそれぞれ弾性的に屈曲可能とし、折り返した一方の可動片の遊端部が折り返した他方の規制片の遊端部の下側に重なるようにし、前記規制片の遊端部に下側を開口した断面コ字状の側壁部を形成して前記可動片の遊端部が側方にずれるのを規制し、前記可動片に被電気的接続部材が当接する上に凸なる突状屈曲部を設けて構成されている。
【０００９】
また、前記２つの屈曲部の間の固定片に前記可動片の遊端部に臨んで切り欠きを設け、前記被電気的接続部材が当接して前記可動片が弾性変形した状態でその遊端部が前記屈曲部の間の前記固定片に当接しないように構成しても良い。
【００１０】
そして、前記導電弾性板からなるコンタクトを、前記被電気的接続部材が前記突状屈曲部に当接して前記可動片が弾性変形し得るようにして絶縁材からなるハウジングに収容固定し、しかも前記規制片側の前記屈曲部を前記ハウジングにより側方および上方にずれないように規制して構成することもできる。
【００１１】
さらに、前記導電弾性板からなるコンタクトを、一体の前記ハウジングに複数個並べて収容固定して構成することも可能である。
【００１２】
【発明の実施の形態】
以下、本発明の第１実施例を図１および図２を参照して説明する。図１は、本発明のコンタクトの外観図であり、（ａ）は正面図、（ｂ）は平面図、（ｃ）は（ｂ）のＡ−Ａ矢視断面図である。図２は、図１のコンタクトを印刷配線基板に配設するとともに被電気的接続部材を当接させて、可動片などを弾性変形させた状態の縦断面図である。
【００１３】
まず、本発明の第１実施例のコンタクトは、外面に金メッキなどが施されたリン青銅やベリリウム銅などの適宜な導電弾性板２０の両側をＵ字状に互いに対向するように折り返してそれぞれに屈曲部２０ａ，２０ｂを形成し、厚さ方向にそれぞれ弾性的に屈曲可能とされる。また、折り返した一方の可動片２０ｃの途中に上方に凸（被電気的接続部材３０が当接する方向に凸）なる突状屈曲部２０ｄが形成され、さらに遊端部２０ｅが略Ｌ字状とされる。そして、可動片２０ｃの遊端部２０ｅが、折り返した他方の規制片２０ｆの遊端部の下側に重なるようになされる。この規制片２０ｆの遊端部には、下側を開口した断面コ字状の側壁部２０ｇが形成され、可動片２０ｃの遊端部２０ｅが側方および上方にずれないように規制されている。さらに、２つの屈曲部２０ａ，２０ｂの間の固定片２０ｈには、可動片２０ｃの遊端部２０ｅに臨んで切り欠き２０ｉが設けられ、可動片２０ｃが弾性変形された状態で遊端部２０ｅが固定片２０ｈに当接しないように形成される。
【００１４】
かかる構成からなるコンタクトにおいて、図２に示すごとく、固定片２０ｈが印刷配線基板３２の図示しない配線パターンに半田付けなどにより固定されるとともに電気的接続される。そして、上方よりバッテリーの端子などの被電気的接続部材３０が押圧当接されると、まず可動片２０ｃが弾性変形し、さらに被電気的接続部材３０が規制片２０ｆの遊端部に当接すると、可動片２０ｃと規制片２０ｆがともに弾性変形する。なお、固定片２０ｈに切り欠き２０ｉを形成することで、導電弾性板の板厚だけ可動片２０ｃの遊端部２０ｅのストロークが大きくなっている。
【００１５】
上述の構成からなる本発明の第１実施例のコンタクトは、規制片２０ｆが弾性変形してその遊端部の高さが変化する分だけ、可動片２０ｃの遊端部２０ｅのストロークを大きくすることができる。そこで、発明者らは、２つの屈曲部２０ａ，２０ｈの間の寸法が７．６ｍｍで自然状態での突状屈曲部２０ｄの高さが１．７ｍｍのコンタクトにおいて、０．９ｍｍのストロークを実現することができた。このストロークは、図６に示す従来技術において、自然状態で高さを同じとした場合のストローク０．５ｍｍの１．８倍である。
【００１６】
次に、本発明の第２実施例を図３ないし図５を参照して説明する。図３は、本発明の第２実施例の外観図で、（ａ）は平面図、（ｂ）は正面図である。図４は、図３のＢ−Ｂ矢視断面図である。図５は、導電弾性板の外観図であり、（ａ）は正面図、（ｂ）は平面図、（ｃ）は（ａ）のＣ−Ｃ矢視断面図である。図３ないし図５において、図１および図２に示される部材と同じまたは均等なものには同じ符号を付けて重複する説明を省略する。
【００１７】
まず、図５に示す導電弾性板４０において、図１に示す導電弾性板２０と相違するところは、固定片２０ｈの両端側に端子部４０ａ，４０ｂを設けたところと、切り欠き２０ｉの両側に跨る立ち上がりリブ４０ｃを設けたことにある。そして、かかる構造に形成された導電弾性板４０が、絶縁樹脂からなる一体のハウジング５０に、可動片２０ｃおよび規制片２０ｆが側方にずれないように規制されて複数個並列に配設される。ここで、ハウジング５０に設けたスリット部に、立ち上がりリブ４０ｃ，４０ｃ…がそれぞれ圧入されて導電弾性板４０，４０…がハウジング５０に固定される。また、規制片２０ｆの屈曲部２０ｂ側が、図４に示すごとく、ハウジング５０のバネ押さえ部５０ａにより、上方への移動が規制される。この固定された状態で、突状屈曲部２０ｄおよび規制片２０ｆの遊端部がハウジング５０より上方に突出されており、被電気的接続部材３０の上方からの押圧当接により、可動片２０ｃおよび規制片２０ｆが適宜に弾性変形し得ることは勿論である。また、端子部４０ａ，４０ｂ…がハウジング５０の底部より両端側に突出し、印刷配線基板３２に適宜に半田付けなどにより固定および電気的接続されるように構成されている。
【００１８】
かかるハウジング５０に複数の導電弾性板４０，４０…を配設したコンタクトにあっても、自然状態で規制片２０ｆの側壁部２０ｇを設ける高さを高く設定でき、それだけ可動片２０ｃのストロークを大きくすることができる。
【００１９】
なお、この第２実施例で導電弾性板４０の規制片２０ｆ側の屈曲部２０ｂの径を小さくして、屈曲部２０ｂの高さを低くしているが、導電弾性板４０がハウジング５０から上方へずれないような構造とすれば、バネ押さえ部５０ａを設けなくても良い。
【００２０】
また、上記第１および第２実施例において、屈曲部２０ａ，２０ｂは略Ｕ字状に折り曲げられているが、これに限られず、Ｖ字状やコ字状であっても良い。また、被電気的接続部材３０は、バッテリーの端子に限られず、他の印刷配線基板のパターンやシールドケースなどであっても良い。そして、コンタクトは、印刷配線基板３２に固定されるものに限られず、他の基板や基台や筐体に適宜配設されても良い。さらに、本発明のコンタクトの寸法を適宜に変更することで、被電気的接続部材３０の大きさに適したものにできることは容易に理解し得るであろう。
【００２１】
【発明の効果】
以上説明したように本発明のコンタクトは構成されているので、以下のごとき格別な効果を奏する。
【００２２】
請求項１記載のコンタクトにあっては、被電気的接続部材が当接して弾性変形する可動片の遊端部が規制片の遊端部に設けた側壁部により側方および上方へのずれが規制されており、しかも可動片の遊端部のずれを規制する側壁部が弾性変位できるので、その分だけ可動片のストロークを大きく設定できる。もって、背丈の低いコンタクトであっても、可動片のストロークを大きくでき、部品の低背化に好適である。
【００２３】
請求項２記載のコンタクトにあっては、可動片の遊端部が当接しないように固定片に切り欠きを設けたので、導電弾性板の板厚の分だけ可動片のストロークを大きくできる。よって、導電弾性板の板厚寸法だけ、コンタクトの低背化に有利である。
【００２４】
請求項３記載のコンタクトにあっては、ハウジングに導電弾性板を挿入固定するとともに、規制片の屈曲部側をハウジングにより側方および上方へのずれを規制するので、規制片の遊端部に設けた側壁部のずれが規制される。もって、可動片の遊端部のずれがより規制されることとなる。
【００２５】
請求項４記載のコンタクトにあっては、複数のコンタクトが一体のハウジングに配設されるので、複数の電気的回路を電気的接続するのに好適である。
【図面の簡単な説明】
【図１】本発明のコンタクトの外観図であり、（ａ）は正面図、（ｂ）は平面図、（ｃ）は（ｂ）のＡ−Ａ矢視断面図である。
【図２】図１のコンタクトを印刷配線基板に配設するとともに被電気的接続部材を当接させて、可動片などを弾性変形させた状態の縦断面図である。
【図３】本発明の第２実施例の外観図で、（ａ）は平面図、（ｂ）は正面図である。
【図４】図３のＢ−Ｂ矢視断面図である。
【図５】導電弾性板の外観図であり、（ａ）は正面図、（ｂ）は平面図、（ｃ）は（ａ）のＣ−Ｃ矢視断面図である。
【図６】従来のコンタクトの一例の縦断面図である。
【図７】公報にて提案されたコンタクトの外観斜視図である。
【符号の説明】
１０，２０，４０  導電弾性板
１０ａ，２０ｃ  可動片
１０ｂ，２０ｄ  突状屈曲部
１０ｃ，１０ｅ，２０ｅ  遊端部
１０ｄ，２０ｈ  固定片
１０ｆ  規制部
１２，５０  ハウジング
１４，３２  印刷配線基板
２０ａ，２０ｂ  屈曲部
２０ｆ  規制片
２０ｇ  側壁部
２０ｉ  切り欠き
３０  被電気的接続部材
４０ａ，４０ｂ  端子部
４０ｃ  立ち上がりリブ
５０ａ  バネ押さえ部
【図１】
2004227910.tif 000003
【図２】
2004227910.tif 000004
【図３】
2004227910.tif 000005
【図４】
2004227910.tif 000006
【図５】
2004227910.tif 000007
【図６】
2004227910.tif 000008
【図７】
2004227910.tif 000009